(57)【要約】【課題】繊維状体の引張強力を充分に発揮することができる無結節コードを提供する。【解決手段】無結節コード１は、スリーブ２とスリーブ２の内部に挿入された繊維状体３とを備え、スリーブ２の長手方向に張力を付与し当該スリーブ２を締め付けることにより、スリーブ２と繊維状体３とが連結されている。また、無結節コード１は、繊維状体３がスリーブ２から抜け出ないようにする抜止部４を少なくとも２箇所（第１抜止部４ａ，第２抜止部４ｂ）に分けられている。これにより、繊維状体３がスリーブ２から抜け出ることを抑止しつつ、張力を付与した際に生じる応力を繊維状体３の全体に分散させて、各抜止部４ａ，４ｂの応力集中を緩和する。【選択図】図２
2008133571.tif 000002
【特許請求の範囲】
【請求項１】
スリーブと、前記スリーブの内部に挿入された繊維状体と、を備え、前記スリーブの長手方向に張力を付与し当該スリーブを締め付けることにより、前記スリーブと前記繊維状体とを連結してなる無結節コードであって、
前記繊維状体が前記スリーブから抜け出ないようにする抜止部を有し、
前記抜止部が設けられる箇所は、少なくとも２箇所に分けられていることを特徴とする無結節コード。
【請求項２】
前記抜止部のうち何れか１箇所は、前記スリーブにおいて前記繊維状体が挿入される側の端部に設けられていることを特徴とする請求項１記載の無結節コード。
【請求項３】
前記抜止部は、前記スリーブに糸条体を巻回してなることを特徴とする請求項２記載の無結節コード。
【請求項４】
前記繊維状体はモノフィラメントであることを特徴とする請求項１〜３の何れか一項記載の無結節コード。
【請求項５】
仕掛け糸に用いられることを特徴とする請求項１〜４の何れか一項記載の無結節コード。
【請求項６】
前記無結節コードの引張強力は、前記繊維状体の結節強力以上であることを特徴とする請求項１〜５の何れか一項記載の無結節コード。
【請求項７】
前記無結節コードの引張強力は、前記繊維状体の引張強力の６０％以上であることを特徴とする請求項１〜６の何れか一項記載の無結節コード。
【請求項８】
スリーブと、前記スリーブの内部に挿入された繊維状体と、を備え、前記スリーブの長手方向に張力を付与し当該スリーブを締め付けることにより、前記スリーブと前記繊維状体とを連結してなる無結節コードであって、
前記繊維状体が前記スリーブから抜け出ないようにする抜止部を有し、
前記抜止部が複数設けられることにより、当該抜止部のそれぞれにおける抜止力を抑制し、張力が付与されたときに前記スリーブと前記繊維状体との間に少なくとも滑りを生じさせて前記繊維状体の伸びを促進し、当該繊維状体に生じる応力を分散させることを特徴とする無結節コード。
【発明の詳細な説明】
【技術分野】
【０００１】
本発明は、スリーブと繊維状体とを結び目を作ること無く連結する無結節コードに関する。
【背景技術】
【０００２】
従来、繊維状体同士を連結する場合には、結ぶという手段が多く用いられている。しかし、この手段では、連結する各繊維状体の種類によって接合等する必要があることから、繊維状体同士の連結作業が煩雑になるおそれがあった。さらに、結ぶという手段では、結節強力が低いという問題があり、このような問題は、繊維状体が太い場合に特に顕著であった。
【０００３】
そこで、スリーブの内部に繊維状体を挿入し、スリーブの長さ方向に張力をかけ当該スリーブを締め付けることでスリーブと繊維状体とを連結してなる無結節コードが提案されている（例えば、特許文献１参照）。
【特許文献１】実開平６−４５４６１号公報
【発明の開示】
【発明が解決しようとする課題】
【０００４】
しかしながら、上述したような無結節コードにおいては、以下の問題がある。すなわち、例えば比較的大きい張力を付与した場合、スリーブと繊維状体との連結力が不充分で繊維状体がスリーブから抜け出してしまうことがある。一方、例えば抜け出ないように両者を強固に接着した場合、張力を付与することで生じる応力が接着した部分に集中（応力集中）し、当該部分で繊維状体が破断してしまうことがある。従って、繊維状体の本来の引張強力を充分に発揮することができないという問題がある。
【０００５】
そこで、本発明は、繊維状体の引張強力を充分に発揮することができる無結節コードを提供することを課題とする。
【課題を解決するための手段】
【０００６】
上記課題を解決するために、本発明に係る無結節コードは、スリーブと、スリーブの内部に挿入された繊維状体と、を備え、スリーブの長手方向に張力を付与し当該スリーブを締め付けることにより、スリーブと繊維状体とを連結してなる無結節コードであって、繊維状体がスリーブから抜け出ないようにする抜止部を有し、抜止部が設けられる箇所は、少なくとも２箇所に分けられていることを特徴とする。
【０００７】
この本発明に係る無結節コードでは、繊維状体がスリーブから抜け出ないようにするための抜止部が設けられる箇所が少なくとも２箇所に分けられている。これにより、比較的大きい張力を付与した場合でも、抜止部全体では繊維状体がスリーブから抜け出ないような充分な抜止力でもって繊維状体とスリーブとを連結しつつ、各抜止部ではその抜止力のそれぞれが抑制される。このように、各抜止部での抜止力が抑制されると、張力を付与した際に繊維状体がスリーブとの間で僅かに滑るために伸び易くなり、よって、生じる応力が繊維状体の伸びとして吸収され易くなる。すなわち、張力を付与した際に生じる応力を繊維状体の全体に分散させて、各抜止部の応力集中を緩和することが可能となる。従って、本発明に係る無結節コードによれば、繊維状体がスリーブから抜け出ることを抑止しつつ抜止部での応力集中を緩和することができ、その結果、繊維状体の引張強力を充分に発揮することが可能となる。
【０００８】
また、抜止部のうち何れか１箇所は、スリーブにおいて繊維状体が挿入される側の端部に設けられていることが好ましい。ここで、無結節コードにあっては、スリーブにおいて繊維状体が挿入される側の端部が繊維状体と連結していない状態（いわゆる口開き）では、その長手方向に沿ってスリーブの締め付け（スリーブの長手方向に張力を付与することによる締め付け）が連鎖的に緩み易くなる。従って、スリーブにおいて繊維状体が挿入される側の端部に抜止部を設けることで、当該端部を確実に締め付けて口開きを防止することができ、よって、スリーブと繊維状体とを確実に連結することができる。
【０００９】
このとき、抜止部は、スリーブに糸条体を巻回してなることが好ましい。この場合、糸条体に不具合が生じ仮に口開きが生じてしまう場合であっても、口開きが一気に生じてしまうのを抑制することができる。
【００１０】
また、繊維状体としては、具体的にはモノフィラメントが挙げられる。また、本発明に係る無結節コードは、仕掛け糸に好適に用いられる。
【００１１】
また、無結節コードの引張強力は、繊維状体の結節強力以上であることが好ましく、さらに、無結節コードの引張強力は、繊維状体の引張強力の６０％以上であることが好ましい。なお、引張強力及び結節強力は、ＪＩＳ  Ｌ  １０１３「化学繊維フィラメント糸試験方法」の規定に準拠して測定された値を意味する。
【００１２】
また、本発明に係る無結節コードは、スリーブと、スリーブの内部に挿入された繊維状体と、を備え、スリーブの長手方向に張力を付与し当該スリーブを締め付けることにより、スリーブと繊維状体とを連結してなる無結節コードであって、繊維状体がスリーブから抜け出ないようにする抜止部を有し、抜止部が複数に分けられていることにより、当該抜止部のそれぞれにおける抜止力を抑制し、張力が付与されたときにスリーブと繊維状体との間に少なくとも滑りを生じさせて繊維状体の伸びを促進し、当該繊維状体に生じる応力を分散させることを特徴とする。
【００１３】
このように、本発明に係る無結節コードでは、抜止部を複数に分けることで、当該抜止部のそれぞれにおける抜止力が抑制され、張力が付与されたときにスリーブと繊維状体との間に少なくとも滑りを生じさせて繊維状体の伸びを促進し、当該繊維状体に生じる応力が分散する。よって、繊維状体がスリーブから抜け出ることを抑止しつつ抜止部での応力集中を緩和することができ、その結果、繊維状体の引張強力を充分に発揮することが可能となる。
【発明の効果】
【００１４】
本発明によれば、繊維状体の引張強力を充分に発揮することができる無結節コードを提供することが可能となる。
【発明を実施するための最良の形態】
【００１５】
以下、添付図面を参照して、本発明の好適な実施形態について詳細に説明する。なお、図面の説明において同一要素には同一符号を付し、重複する説明は省略する。
【００１６】
図１は本発明の第１実施形態に係る無結節コードを示す正面図であり、図２は図１の無結節コードの断面図である。ここでいう無結節コードは、スリーブと繊維状体とを結ぶことなく連結してなるものである。本実施形態の無結節コード１は、釣り糸の仕掛け糸として用いられ、スリーブ２と繊維状体３とを備えている。
【００１７】
スリーブ２は、中空状に製紐された組紐であり、例えば、綿や羊毛等の天然繊維、ポリエステル、ポリエチレン、脂肪族ポリアミド、芳香族ポリアミド、ポリ−ｐ−フェニレンベンゾビスオキサゾール（ＰＢＯ）、若しくは液晶ポリマー（例えば、芳香族ポリエステル）等の合成繊維、又はこれらの組み合わせにより形成されている。なお、スリーブ２は、繊維状体３よりも高い引張強力を有している。
【００１８】
繊維状体３は、ここでは、モノフィラメント３である。このモノフィラメント３は、１つのフィラメントからなる糸条であり、例えば、脂肪族ポリアミド、芳香族ポリアミド、フロロカーボン、ポリエステル、又はポリエチレン等により形成されている。モノフィラメント３は、その先端３ａ（図２参照）がスリーブ２の一端２ａ（図２参照）側から当該スリーブ２の内部に挿入されている。そして、この挿入された状態で、スリーブ２の長手方向に張力を付与し当該スリーブ２を締め付けることにより、スリーブ２とモノフィラメント３とが連結されている。
【００１９】
ここで、無結節コード１には、抜止部４が設けられている。この抜止部４は、モノフィラメント３がスリーブ２から抜け出ないようにするものであり、スリーブ２において一端２ａ側の端部に設けられた第１抜止部４ａと、スリーブ２において一端２ａから他端側に向けて所定の距離だけ離れた位置に設けられた第２抜止部４ｂと、で構成されている。
【００２０】
第１抜止部４ａは、スリーブ２とモノフィラメント３との境界であるスリーブ２の一端２ａ及びその近傍を覆うように、例えば糸巻器により糸条体５が巻回されて形成されている。具体的には、第１抜止部４ａは、スリーブ２の一端２ａを中心として０．７５ｃｍずつ長手方向に拡がってなる領域に、糸条体５が巻きつけられて形成されている。そして、第１抜止部４ａにあっては、例えばシアノアクリレート系の瞬間接着剤６（図２参照）が塗布されており、これにより、当該位置でのスリーブ２とモノフィラメント３との連結が補強されている。
【００２１】
第２抜止部４ｂは、第１抜止部４ａよりもスリーブ２側の位置に設けられ、例えば糸巻器により糸条体５を巻回して形成されている。具体的には、第２抜止部４ａは、スリーブ２において一端２ａから他端側に向けて所定の距離（ここでは、約５ｃｍ）だけ離れた位置を中心として、例えば０．５ｃｍずつ長手方向に拡がってなる領域に、糸条体５が巻きつけられて形成されている。そして、第２抜止部４ｂにあっては、第１抜止部４ａと同様に、例えばシアノアクリレート系の瞬間接着剤６が塗布されており、これにより、当該位置でのスリーブ２とモノフィラメント３との連結が補強されている。
【００２２】
なお、本実施形態では、無結節コード１の引張強力は、モノフィラメント３の引張強力の６０％以上になっており、７０％以上がより好ましく、７５％以上がより一層好ましい。また、無結節コード１の引張強力は、モノフィラメント３の結節強力以上（すなわち、モノフィラメント３の結節強力の１００％以上）となっており、１０５％以上がより好ましく、１１０％以上がより一層好ましい。
【００２３】
ちなみに、上述及び後述の引張強力及び結節強力は、ＪＩＳ  Ｌ  １０１３「化学繊維フィラメント糸試験方法」の規定に準拠して測定された値を意味する。具体的には、引張強力とは、引張りに対する強さを示し、どのくらいの荷重で引っ張ると破断するかを示すものである。結節強力とは、一重結びにより結ばれた繊維状体の引張強力のことを示し、結ばれた状態での繊維状体がどのくらいの荷重で引っ張ると破断するかを示すものである。
【００２４】
このように構成された無結節コード１では、引張りの張力を付与した場合、スリーブ２の締まる力及び抜止部４の抜止力により、スリーブ２とモノフィラメント３との連結が維持される。なお、抜止力とは、モノフィラメント３がスリーブ２から抜け出ないようにする力を意味し、抜止部４においては、糸条体５が巻きつけられることによる締め付け力、及び瞬間接着剤６が塗布されることによる接着力を指す。
【００２５】
このように引張りの張力を付与した場合には、上述したように、抜止部４の設けられる箇所が、第１抜止部４ａ及び第２抜止部４ｂの２箇所である（抜止部４の設けられる箇所が第１抜止部４ａ及び第２抜止部４ｂの２箇所に分けられている）。そのため、抜止部４全体としては、モノフィラメント３がスリーブ２から抜け出ないような充分な抜止力でもってモノフィラメント３とスリーブ２とを連結させつつ、各抜止部４ａ，４ｂでは、その抜止力のそれぞれが抑制される。このように、各抜止部４ａ，４ｂでの抜止力が抑制されると、張力を付与した際にモノフィラメント３がスリーブ２との間で僅かに滑り伸び易くなり、よって、生じる応力がモノフィラメント３の伸びとして吸収され易くなる。すなわち、張力を付与した際に生じる応力がモノフィラメント３全体に分散され、各抜止部４ａ，４ｂでの応力集中が緩和される（応力の分散効果を得る）。従って、本実施形態によれば、モノフィラメント３の引張強力を充分に発揮することができる。
【００２６】
また、上述したように、抜止部４ａがスリーブ２において一端２ａ側の端部に設けられていることより、当該端部を確実に締め付けて、スリーブ２においてモノフィラメント３が挿入される側（一端２ａ側）の端部がモノフィラメント３と連結していない状態（いわゆる口開き）を防止することができる。これにより、一般的に無結節コードにて生じ易い問題、すなわち、口開き状態では長手方向に沿ってスリーブ２の締め付けが連鎖的に緩み易くなるという問題が低減され、スリーブ２とモノフィラメント３とを確実に連結することができる。
【００２７】
さらに、抜止部４ａは、スリーブ２に糸条体５を巻回してなるため、糸条体５に緩みや損傷等の不具合が生じ、仮に口開きが生じてしまう場合であっても、当該口開きが一気に生じてしまうのを抑制することができる。
【００２８】
また、上述したように、スリーブ２は、モノフィラメント３よりも高い引張強力を有していることより、無結節コード１に張力が付与された場合に、スリーブ２がモノフィラメント３に先んじて破断することを抑制できるため、モノフィラメント３の引張強力をより充分に発揮することができる。
【００２９】
ここで、結節を有して繊維状体同士を連結すると、直線で引っ張った強さよりも結節での強さは低くなるのが一般的である。しかし、本実施形態によれば、上述したように、無結節コード１の引張強力がモノフィラメント３の結節強力以上になっているため、結節を有して連結するに比して、スリーブ２とモノフィラメント３とを好適に連結することができる。さらに、本実施形態では、上述したように、無結節コード１の引張強力がモノフィラメント３の引張強力の６０％以上になっているため、モノフィラメント３の引張強力を充分に発揮することができる。これらの効果は、モノフィラメント３の径が大きくなるにつれて顕著となり、マグロ等の大型魚に用いられる釣り糸用の仕掛け糸では特に顕著となる。
【００３０】
次に、本発明の第２実施形態に係る無結節コード１０について説明する。図３は、本発明の第２実施形態に係る無結節コードを示す断面図である。この第２実施形態の無結節コード１０が上記第１実施形態の無結節コード１と異なる点は、図１及び図２に示した第１抜止部４ａ及び第２抜止部４ｂを有する抜止部４に代えて、図３に示す第１抜止部４ａ及び第２抜止部１４ｂを有する抜止部１４を備えた点である。
【００３１】
第２抜止部１４ｂは、スリーブ２において挿入されたモノフィラメント３の先端３ａに対応する箇所に、換言すると、スリーブ２において一端２ａから他端側に向けてモノフィラメント３が差し込まれた距離だけ離れた位置及びその近傍に、例えば瞬間接着剤１６を塗布することにより設けられている。なお、第２抜止部１４ｂでは、抜止力は、瞬間接着剤１６が塗布されることによるスリーブ２とモノフィラメント３との接着力を指す。
【００３２】
このような本実施形態においても、上記と同様な効果、すなわち、モノフィラメント３がスリーブ２から抜け出ることを抑止しつつ抜止部１４での応力集中を緩和させて、モノフィラメント３の引張強力を充分に発揮するという効果を奏する。さらに、上述したように、スリーブ２において挿入されたモノフィラメント３の先端３ａに対応する箇所に第２抜止部１４ｂを形成することで、抜止力が好適に発揮され、モノフィラメント３とスリーブ２とを確実に連結することができる。
【００３３】
以上、本発明の好適な実施形態について説明したが、本発明は上記実施形態に限定されるものではない。例えば、上記実施形態では、抜止部が設けられる箇所を２箇所に分けたが、３箇所以上に分けてもよい。
【００３４】
また、抜止部は、糸条体の巻回、若しくは接着剤の塗布、又はこれらの組み合わせでもよく、それ以外のものであってもよい。
【実施例】
【００３５】
以下、実施例及び比較例を説明する。
【００３６】
（実施例１）
まず、超高分子量ポリエチレン製のスリーブにＰＶＤＦ（ポリフッ化ビニリデン）製のモノフィラメントを挿入し、スリーブの長手方向に張力を付与して当該スリーブを締め付けることにより、スリーブとモノフィラメントとを連結した。スリーブの号数は６号とし、モノフィラメントの号数は１４号とした。
【００３７】
そして、スリーブの差込口（スリーブにおいてモノフィラメントが挿入される側の一端）に第１抜止部を形成し、スリーブにおいて差込口に対し長手方向内側に約５ｃｍ程度離れた位置に第２抜止部を形成した。第１及び第２抜止部は、糸条体をセキノッター（ＹＧＫよつあみ製、商品名）により巻回した後、シアノアクリレート系の瞬間接着剤を塗布することにより形成した。以上のようにして、目的の無結節コードを得た。
【００３８】
（実施例２）
モノフィラメントの号数を１６号とした以外は実施例１と同様とした。
【００３９】
（実施例３）
モノフィラメントの号数を２０号とし、スリーブの号数を８号とした以外は実施例１と同様とした。
【００４０】
（実施例４）
モノフィラメントの号数を３０号とし、スリーブの号数を１０号とした以外は実施例１と同様とした。
【００４１】
（実施例５）
モノフィラメントの号数を４０号とし、スリーブの号数を１５号とした以外は実施例１と同様とした。
【００４２】
（実施例６）
モノフィラメントの号数を５０号とし、スリーブの号数を１５号とした以外は実施例１と同様とした。
【００４３】
（実施例７）
第２抜止部に糸条体を巻回せず、モノフィラメントの号数を３０号とし、スリーブの号数を１０号とした以外は実施例１と同様とした。
【００４４】
（比較例１）
第１抜止部を、スリーブとモノフィラメントとの相対移動が生じないように糸条体を強固に巻回した後に融着処理を施すことにより形成し、第２抜止部を形成せず、モノフィラメントの号数を１４号とし、スリーブの号数を６号とした以外は実施例１と同様とした。
【００４５】
（比較例２）
モノフィラメントの号数を１６号とした以外は比較例１と同様とした。
【００４６】
（比較例３）
モノフィラメントの号数を２０号とし、スリーブの号数を８号とした以外は比較例１と同様とした。
【００４７】
（比較例４）
モノフィラメントの号数を４０号とし、スリーブの号数を１５号とした以外は比較例１と同様とした。
【００４８】
（比較例５）
モノフィラメントの号数を８０号とし、スリーブの号数を２５号とした以外は比較例１と同様とした。
【００４９】
（引張破断強力測定試験）
実施例１〜７と比較例１〜５とを用い、引張破断強力測定試験により無結節コードの引張強力を測定した。具体的には、無結節コードにおいてスリーブ側の端部を固定し、モノフィラメント側の端部をロードセルに接続して張力を付与した。なお、この引張破断強力測定試験では、ストログラフＲII型引張試験機（東洋精機製作所製、商品名）を使用し、無結節コードの引張強力をＪＩＳ  Ｌ  １０１３「化学繊維フィラメント糸試験方法」の規定に準拠して測定した。
【００５０】
この結果、図４（ａ）に示すように、比較例１〜５では、［無結節コードの引張強力／モノフィラメントの結節強力］が１００％よりも小さい（無結節コードの引張強力がモノフィラメントの結節強力よりも低い）のに対し、実施例１〜７では、［無結節コードの引張強力／モノフィラメントの結節強力］が１００％以上（無結節コードの引張強力がモノフィラメントの結節強力以上）であった。これにより、実施例の無結節コードでは、その引張強力が繊維状体の結節強力以上であることが確認でき、結節を有して連結するのに比して、好適にスリーブとモノフィラメントとを連結するという効果、及び抜止部を１箇所にして連結するのに比して、好適にスリーブとモノフィラメントとを連結するという効果が確認することができた。
【００５１】
また、図４（ｂ）に示すように、比較例１〜５では、［無結節コードの引張強力／モノフィラメントの引張強力］が５４．１％よりも小さいのに対し、実施例１〜７では、［無結節コードの引張強力／モノフィラメントの引張強力］が７５．５％以上である。具体的には、実施例１〜７では、［無結節コードの引張強力／モノフィラメントの引張強力］が最低でも７５．５％であり、最大では９２．４％（モノフィラメントの引張強力の略９割の引張強力）である。これにより、本実施例での無結節コードでは、製品のばらつき等を考慮した場合であっても、その引張強力はモノフィラメントの引張強力の少なくとも６０％以上であり、モノフィラメントの引張強力を充分に発揮するという上記効果が確認できた。加えて、モノフィラメントの径が大きいほど、［無結節コードの引張強力／モノフィラメントの引張強力］が大きい傾向にあり、上記効果、すなわちモノフィラメントの径が大きいものでは大きくなるにつれてモノフィラメントの引張強力を充分に発揮するという効果が顕著になることが確認できた。
【図面の簡単な説明】
【００５２】
【図１】本発明の第１実施形態に係る無結節コードを示す正面図である。
【図２】図１の無結節コードの断面図である。
【図３】本発明の第２実施形態に係る無結節コードを示す断面図である。
【図４】実施例及び比較例の引張破断強力測定試験の結果を示す図表である。
【符号の説明】
【００５３】
１…無結節コード、２…スリーブ、３…モノフィラメント（繊維状体）、４，１４…抜止部、４ａ…第１抜止部（抜止部）、４ｂ，１４ｂ…第２抜止部（抜止部）、５…糸条体。
【図１】
2008133571.tif 000003
【図２】
2008133571.tif 000004
【図３】
2008133571.tif 000005
【図４】
2008133571.tif 000006